(57)【要約】【課題】家具本体の前面部やその周辺を効果的に照らしつつ、家具の前面部からの突出寸法を極力少ないものとして見栄えを向上することができる照明付き家具及び照明付き内装建材を提供する。【解決手段】板状の導光部材２の少なくとも一つの端部に光源１を設け且つ光源１を設けた端部とは異なる端部に光源１からの光を出射させる出射部３を設けて成る照明装置Ａを家具本体７に設ける。この家具本体７に設けられた照明装置Ａを、出射部３のみが家具本体７の前面部から突出するように設けた。【選択図】図１
2010253065.tif 000002
【特許請求の範囲】
【請求項１】
板状の導光部材の少なくとも一つの端部に光源を設け且つ光源を設けた端部とは異なる端部に光源からの光を出射させる出射部を設けて成る照明装置を家具本体に設け、家具本体に設けられた照明装置は、出射部のみが家具本体の前面部から突出して成ることを特徴とする照明付き家具。
【請求項２】
前記照明装置は、出射部以外の部分を家具本体内に埋め込んで成る請求項１記載の照明付き家具。
【請求項３】
前記家具本体は洗面ボウルの上部にミラーキャビネットを備えた洗面化粧台であり、前記照明装置をミラーキャビネットの上部に配設し、前記前面部はミラーキャビネットの前面部である請求項１又は請求項２のいずれかに記載の照明付き家具。
【請求項４】
板状の導光部材の少なくとも一つの端部に光源を設け且つ光源を設けた端部とは異なる端部に光源からの光を出射させる出射部を設けて成る照明装置を内装建材に設け、内装建材に設けられた照明装置は、出射部のみが内装建材の前面部から突出して成ることを特徴とする照明付き内装建材。
【請求項５】
前記照明装置は、出射部以外の部分を内装建材内に埋め込んで成る請求項４記載の照明付き内装建材。
【発明の詳細な説明】
【技術分野】
【０００１】
本発明は、照明付き家具及び照明付き内装建材に関するものである。
【背景技術】
【０００２】
従来から、照明装置が取り付けられた家具として、例えば、特許文献１に示したような洗面化粧台が知られている。この特許文献１により示される洗面化粧台は、照明灯を内部に収容した照明装置をミラーキャビネットの上部に取り付けたものである。この照明装置は、ミラーキャビネットの上部前面に単に取り付けられただけのものであり、角部を介して突出する照明装置の大部分が、洗面化粧台のミラーキャビネットの前面部から大きく露出している。
【先行技術文献】
【特許文献】
【０００３】
【特許文献１】特開２００８−２７９１７１号公報
【発明の概要】
【発明が解決しようとする課題】
【０００４】
ところで、このような洗面化粧台にあっては、照明装置の前面をミラーキャビネットから大きく突出させることで、使用者に対する照射のみならず、照明装置の直下にあるミラー上部に対しても光を照射させることができるようになり、洗面化粧台を使用するに当たり、使用者の手元や身体等が一層明るく照らされて使用性が向上する。しかしその反面、照明装置はミラーキャビネットの前面に単に設けられただけのものであり、その照明装置の大部分がミラーキャビネットの前面部から大きく突出しているため、家具としての洗面化粧台の見栄えは改善の余地があるものとなっていた。
【０００５】
本発明は、上記従来の問題に鑑みてなされたものであり、その目的とするところは、家具本体の前面部やその周辺を効果的に照らしつつ、家具の前面部からの突出寸法を極力少ないものとして見栄えを向上することができる照明付き家具及び照明付き内装建材を提供することにある。
【課題を解決するための手段】
【０００６】
上記課題を解決するために本発明は以下の構成を備えている。
【０００７】
すなわち、請求項１に係る発明にあっては、板状の導光部材２の少なくとも一つの端部に光源１を設け且つ光源１を設けた端部とは異なる端部に光源１からの光を出射させる出射部３を設けて成る照明装置Ａを家具本体７に設ける。この家具本体７に設けられた照明装置Ａを、出射部３のみが家具本体７の前面部から突出するように設けた。
【０００８】
このように構成したことで、家具本体７の前面部やその周辺を照らすように構成したものにおいても、照明装置Ａを目立たないものとして見栄えを向上させることができる。すなわち、照明装置Ａの大部分を家具本体７の前面部よりも後方に位置させることで、家具本体７の前面部から突出する部分を、導光部材２の出射部３のみという僅かな部分とすることができ、しかも、導光部材２は板状に形成されているから、より一層目立たないものとすることができる。その上、このように照明装置Ａの主体を成す導光部材２を板状のものとしているから、照明装置Ａの取り付けに要する厚み方向の寸法を小さくすることができる。
【０００９】
また、請求項２に係る発明にあっては、請求項１に係る発明において、前記照明装置Ａは、出射部３以外の部分を家具本体７内に埋め込んだ。
【００１０】
このように構成したことで、請求項１に係る効果に加えて、出射部３以外の部位を、外観上見えない部位に隠すことができて、見栄えを向上させることができる。
【００１１】
また、請求項３に係る発明にあっては、請求項１又は請求項２のいずれかに係る発明において、前記家具本体７は洗面ボウル７２の上部にミラーキャビネット７４を備えた洗面化粧台７ａとする。そして、前記照明装置Ａをミラーキャビネット７４の上部に配設し、前記前面部はミラーキャビネット７４の前面部とした。
【００１２】
このように構成したことで、照明装置Ａにおけるミラーキャビネット７４の前面部から突出する部分を、出射部３のみという僅かな範囲とすることができ、その上で、洗面化粧台７ａの使用者に対してや、ミラーキャビネット７４の前面部に配設されたミラー７３に対して、光を照射することができるため、洗面化粧台７ａの見栄えを向上させつつ、効果的な照明を行なうことができる。
【００１３】
また、請求項４に係る発明にあっては、板状の導光部材２の少なくとも一つの端部に光源１を設け且つ光源１を設けた端部とは異なる端部に光源１からの光を出射させる出射部３を設けて成る照明装置Ａを内装建材８に設ける。この内装建材８に設けられた照明装置Ａを、出射部３のみが内装建材８の前面部から突出するように設けた。
【００１４】
このように構成したことで、照明装置Ａの突出部位が目立たないものとした上で、内装建材８の前面部やその周辺部を照らすことができる。
【００１５】
また、請求項５に係る発明にあっては、前記照明装置Ａは、出射部３以外の部分を内装建材８内に埋め込んだ。
【００１６】
このように構成したことで、請求項４に係る効果に加えて、出射部３以外の光源１やその他の部位を、外観上見えない部位に隠すことができて、見栄えが向上するものとなる。
【発明の効果】
【００１７】
本発明によれば、照明付き家具において効果的な照明を行なうことができると共に、照明装置を目立たないものとした結果、見栄えを向上することができるので、照明付き家具としての商品価値を高めることができるものである。
【図面の簡単な説明】
【００１８】
【図１】本発明の第一の実施形態の側面図である。
【図２】同上の光源を取り付けた部分を示す断面図であり、下方からの斜視図である。
【図３】同上の照明装置の正面図である。
【図４】第二の実施形態の側断面図である。
【図５】同上の要部断面図である。
【図６】同上の発光時を説明するための上面図である。
【図７】第三の実施形態を説明する図であり（ａ）は正面図であり（ｂ）は側面図である。
【発明を実施するための形態】
【００１９】
以下、本発明について添付図面に基づいて説明する。
【００２０】
第一の実施形態は、本発明の照明付き家具の一例として照明付きの洗面化粧台７ａを用いている。ここで、家具本体７としての洗面化粧台７ａは、図１及び図２に示すように、洗面ボウル７２を備えた洗面化粧台本体７１の上方位置に前面にミラー７３を配設したミラーキャビネット７４を配置し、このミラーキャビネット７４の上部に照明装置Ａが取り付けられている。
【００２１】
この照明装置Ａは、薄板状の導光部材２と、導光部材２の少なくとも一つの端部に対向するように取り付けられた発光ダイオード（以下、ＬＥＤ１１という）からなる光源１とを備えている。この照明装置Ａは、薄板状の導光部材２の一対の平面が上下に向いた状態で取り付けられる。
【００２２】
導光部材２は、平面視略矩形の薄板状の透明な部材で構成されている。この導光部材２は上下に備える板面の外周を囲むようにして端面を備えている。この導光部材２の周囲の端部のうち、少なくとも一つの端部を光源１からの光が入射する入射部４とし（本実施形態においては、任意の一つの端部を入射部４としている）、その入射部４以外の端部（本実施形態においては、入射部４の辺に対して略直交する辺にある端部のうち一方の端部）を出射部３としている。また、この出射部３と対をなす一対の端部のうち、出射部３に相対するもう一方の端部（出射部３を一端部とした場合の他端部；以下、単に他端部という）に複数の導光パターン（図示せず）が形成されている。また、出射部３の上面においても、複数の導光パターン（図示せず）が形成されている。
【００２３】
これにより、入射部４から入射した光が上記他端部の導光パターンによって乱反射すると共に、出射部３の上面の導光パターンにおいても乱反射するようになり、光源１からの光が出射部３の前面及び下面から出射する。本実施形態において、出射部３の前面を第一出射面３１とし、出射部３の下面を第二出射面３２と定義すると、本実施形態の照明装置Ａは、出射部３となる第一出射面３１と第二出射面３２との計２箇所から出射できるようになっており、第一出射面３１から出射する光は洗面化粧台７ａの使用者の顔周辺に対して照射する光となると共に、第二出射面３２から出射する光は洗面化粧台７ａの前面部を照らす光となっている。
【００２４】
なおここで言う、本実施形態の洗面化粧台７ａにおける前面部とは、ミラーキャビネット７４の前面部であるミラー７３を指すものとし、突出した出射部３によって照らすようにした家具本体７の前表面に露出する部分をいうものとする。
【００２５】
また光源１は、既述の通り、点光源たるＬＥＤ１１によって構成されている。このＬＥＤ１１は導光部材２の入射部４の端面に対向させ且つ該端面に沿って、一直線状に並ぶように取り付けられている。このようにＬＥＤ１１といった点光源を光源１に用いることにより、導光部材２の一層の薄板化を図ることが可能となる。更に言えば、ＬＥＤ１１を採用したことにより低消費電力で発光することができるので、ランニングコストの低コスト化を図ることも可能となる。なお、本実施形態のＬＥＤ１１はチップタイプのチップＬＥＤ１１を用いているが特に限定されない。また、ＬＥＤ１１の光の色も特に限定されるものではない。
【００２６】
上記のような構成の導光部材２及び光源１は、図３に示すように、ハウジング６に内装される。
【００２７】
このハウジング６は、導光部材２を収容する導光部材用ハウジング６１と、光源１が内装された光源用ハウジング６２とに分割してあり、導光部材用ハウジング６１に光源用ハウジング６２が係脱自在に装着されている。この導光部材用ハウジング６１と導光部材２との間には、図３に示すように薄い空気層ｋを形成するようになっており、光源１からの光が入射部４から出射部３へ向かう導光過程で反射光が減衰してしまうのを防止している。すなわち、導光部材２の上下の反射面において導光部材２とは異なる部材が接触した結果、該部材の屈折率如何では、全反射条件が崩れてしまうのを防止するためである。
【００２８】
このように構成された照明装置Ａは、上述の通り、家具本体７の一例としての洗面化粧台７ａに装着される。
【００２９】
本実施形態の洗面化粧台７ａは、洗面ボウル７２を備えた洗面化粧台本体７１と、この洗面化粧台本体７１の上部に設けられたミラーキャビネット７４とを備えて構成されており、このミラーキャビネット７４の上部に上記照明装置Ａが取り付けられている。
【００３０】
洗面ボウル７２は、洗面ボウル７２の上部に設けられた給水栓７０から吐出された湯水を受ける部分であり、上方に開口した椀形状に形成されている。そして洗面ボウル７２の最低部には、排水管に連通する排水口部７２１が設けられている。
【００３１】
また、洗面化粧台本体７１の下部を構成し、且つ、洗面ボウル７２の下方に位置する部位には下部キャビネット部７９が設けられる。この下部キャビネット部７９は、前方に開口し内部に小物を収納可能な収納部（図示せず）と、この収納部の前面に開閉自在に枢支された開閉扉７８とを備えて構成される。
【００３２】
この洗面化粧台本体７１の上方位置に設けられたミラーキャビネット７４は、前方に開口した矩形箱状のキャビネット本体７６が主体として構成されており、このキャビネット本体７６の前部には扉体７７がそれぞれ開閉自在に枢支され、この扉体７７の前面部には略前面に亘ってミラー７３（鏡板）が配設されている。このキャビネット本体７６の内部は、棚板（図示せず）や縦仕切り板（図示せず）で仕切って収納部（図示せず）が形成されている。
【００３３】
また、ミラーキャビネット７４の上部で且つミラー７３の上方には、上記照明装置Ａを収容する収納凹所７５が形成してある。この収納凹所７５は、照明装置Ａの薄板状の導光部材２と光源１とを（正確には、導光部材２と光源１とを内装するハウジング６を）、導光部材２の一対の平面が上下に向いた状態で埋設できる大きさに形成されている。つまり、収納凹所７５内の上下に対向する平面間の距離が短くてすむため、導光部材２によらない照明装置Ａを使用した従来のものと比較して、照明装置Ａを取り付けるための取り付けスペースを小さな領域とすることができる。
【００３４】
このような収納凹所７５に上記照明装置Ａを装着するに当たっては、照明装置Ａの出射部３を除いたすべての部分を収納凹所７５に埋設するようにして行なう。つまり、照明装置Ａの大部分が見えない部位に埋め込まれ、出射部３のみがミラーキャビネット７４から突出した状態となっており、ミラーキャビネット７４からの突出寸法がほんの僅かとなるため、突出部分が目立たないものとなる。
【００３５】
しかも、導光部材２は薄板状に形成されたものであるため、出射部３の正面視においては、左右に細長い線状の外観を呈するものとなる。つまり、突出寸法を小さくできて、且つ、正面視における形状も目立たないものとすることができるため、照明装置Ａをより一層目立たないものとすることができて、洗面化粧台７ａの見栄えを向上させることができる。
【００３６】
またこのように、導光部材２を板状のものとしたため、ミラーキャビネット７４の上部に設ける収納凹所７５の上下に対向する側壁間の長さを極力短いものとすることができる。すなわち、狭いスペースにおいても上記照明装置Ａを取り付けることができるので、洗面化粧台７ａの設計上の自由度を増すことができるという利点も有している。
【００３７】
このように、本実施形態の洗面化粧台７ａは、照明装置Ａのミラーキャビネット７４から露出する部分が目立たないものであるため、従来のものと比べて意匠的に大きく異なるものとなる。しかも、出射部３と相対する端部の端面に導光パターンを設けると共に、出射部３の上面に導光パターンを設け、この出射部３をミラーキャビネット７４から突出させているから、出射部３のみの僅かな突出で、第一出射面３１から出射する光で使用者を照らしつつ、第二出射面３２から出射する光で、この照明装置Ａの下部にあり洗面化粧台７ａの前面部（すなわち、ミラー７３）を照らすことができ、効果的な照明を行なうことができるものとなっている。
【００３８】
次に、他の実施形態について図４に基づいて説明する。なお、本実施形態は図１乃至図３に示す実施形態と大部分において同じであるため、同じ部分においては同符号を付して説明を省略し、主に異なる部分について説明する。
【００３９】
第二の実施形態も第一の実施形態と同様に照明装置Ａを洗面化粧台７ａに設けた例であるが、第二の実施形態と第一の実施形態とは、照明装置Ａの構成が異なっている。すなわち、本実施形態の照明装置Ａは、薄板状の導光部材２の一端部にＬＥＤ１１から成る光源１を設け、その一端部とは反対側の他端部に出射部３を設けて構成されている。
【００４０】
本実施形態の導光部材２は、図４に示すように、導光部材２の下面に対して導光部材２の上面がやや傾斜しており、この傾斜は、入射部４（すなわち、一端部）から出射部３（すなわち、他端部）に近づくほど下面と上面との距離が離れるような傾斜になっている。つまり、入射部４から出射部３にかけて徐々に板厚が厚くなるように構成されている。
【００４１】
本実施形態の出射部３は、図４及び図５に示すように、導光部材２の上面に設けられこの上面から滑らかに連続した曲面で構成される第一出射面３１と、導光部材２の他端部側の下面に位置する第二出射面３２とから構成されている。
【００４２】
本実施形態において、この出射部３が形成されている他端部は、先端ほど下方に位置する曲面で形成された第一導光面５となっており、導光部材２内を繰り返し反射した光のうちの一部の光が、この第一導光面５において、第二出射面３２に向かって全反射するようになっている。
【００４３】
さらに、本実施形態においては、この第一導光面５は第一出射面３１となっている。つまり、第一導光面５に入射する光のうち、全反射条件を満たさないものは、第一導光面５で全反射せずに屈折しながら出射し、一方、既述の通り、第一導光面５で全反射条件を満たした入射光は第一導光面５で全反射し、その全反射した光の大部分は第二出射面３２から出射する光となる。すなわち、本実施形態の照明装置Ａは第一出射面３１と第二出射面３２との計２箇所から出射できるようになっており、第一出射面３１から出射する光は洗面化粧台７ａの使用者の顔周辺に対して照射する光となると共に、第二出射面３２から出射する光は洗面化粧台７ａの前面部（すなわち、ミラーキャビネット７４のミラー７３）を照らす光となる。
【００４４】
また、本実施形態においても導光部材用ハウジング６１及び光源用ハウジング６２が設けられているが、この導光部材用ハウジング６１における光源用ハウジング６２が取り付けられた端部とは反対側の端部には、光透過性を有する照明カバー６３が取り付けられている。この照明カバー６３は、導光部材用ハウジング６１に対して着脱自在に装着されており、この照明カバー６３を透過する光の進行方向を変えると共に、この透過する光をさらに集光して輝度を高める作用を奏するものである。照明カバー６３の前面部には、第一透過部６４が設けられており、導光部材２の第一出射面３１から出射した光を、この第一透過部６４を透過させ屈折させることにより、光の出射方向を変更することができるものである。すなわち、この照明カバー６３によって光の進行方向を設定することができる。
【００４５】
さらに、照明カバー６３の下面には、導光部材２の第二出射面３２から出射した光を、透過させ屈折させる第二透過部６５が設けられており、第二出射面３２の光の進行方向を設定することが可能となっている。
【００４６】
なお、この照明カバー６３は必ずしも取り付ける必要はなく、仮に取り付けない場合であってもよいものとする。
【００４７】
ここで、仮に、導光部材２の入射部４と出射部３との距離が十分に離間していない直方体状の導光部材２であった場合、小さく且つ指向性を有するＬＥＤ１１から発せられる光が十分に広がらないまま出射部３から出射してしまうことがあり、その場合、隣接するＬＥＤ１１間に生ずる非照射領域Ｓにより出射する光に光ムラが生じてしまうことがある。しかしながら、本実施形態の照明装置Ａによれば、小さく且つ指向性のあるＬＥＤ１１を光源１とした場合であっても、導光部材２を板状のものとしているから、導光部材２の入射部４と出射部３との距離を十分にとることができ、その結果、ＬＥＤ１１から発せられた光を導光部材２内で十分に広げた上で出射部３から出射させることができる（図６参照）。つまり、本実施形態の照明装置Ａによれば、光ムラの少ない光で被照射物を照らすことができる。なお、図６中の符号Ｓの非照射領域とは、光源１から発せられた光において光源から直接照らすことができない領域を示している。
【００４８】
さらに、本実施形態の導光部材２は、入射部４から出射部３に近づくほど板厚を厚くなるように構成したため、入射した光源１からの光が導光部材２内で反射を繰り返して出射部３に向かうに当たり、反射面に対する入射角（図４中符号ｉ）を反射が繰り返されるほど大きくすることができる。その結果、導光部材２内において入射部４から出射部３に至るまでの間に、導光部材２内の上下の反射面において、臨界角に満たない入射条件で入射してしまうのを極力防ぎ、入射された光の全反射条件が崩れるのを防止することができる。つまり、導光過程で生じる光の減衰を低減することができる。
【００４９】
その上、このように反射を繰り返すほど導光部材２の反射面における入射角が大きくなっていくため、仮に、導光部材２の上下の反射面において、鏡面仕上げが不十分な場合であっても、出射部３から出射される光量が大きく減らないものとすることができる。
【００５０】
しかも、導光部材２内の光の進行方向を単位ベクトルで考えた場合に、出射部３に向かう方向（図４中の矢印ｎ方向；入射面法線方向）の成分は、反射を繰り返すほどに次第に大きくなり、出射部３に向かう方向に直角な方向（図４中の矢印ｍ方向）の成分は、反射を繰り返すほどに次第に小さくなる。つまり、導光部材２内の光の進行が略一定方向（入射面法線方向）に収束していくので、出射部３で光学操作を行なうに当たり（例えば、本実施形態にあっては照明カバー６３によって光学操作したり、あるいは、第一出射面３１の曲率や湾曲形状を変化させて光学操作を行なったりする）、簡単且つ正確に行なうことができるようになる。
【００５１】
また、本実施形態の照明装置Ａに取り付けられた照明カバー６３により、上記のように導光部材２の出射部３から出射した収束した光の照射方向を設定することができるものとなっている。つまり、照明カバー６３は導光部材２に対し着脱自在に設けられていることから、照明カバー６３を複数種類設けるだけで、同一種類の導光部材２で数多くの形状の洗面化粧台７ａに対応することができるものとなり、在庫管理が容易となる。
【００５２】
なお、上記照明カバー６３を、照明カバー６３上面から第一透過部６４にかけて光拡散加工を施し、照明カバー６３の下面となる第二透過部６５を光拡散加工を施さない透明な部分として構成してもよい。このようにすれば、第一透過部６４からの使用者に直接照射する光により、使用者が眩しいと感じることを回避することができつつ、第二透過部６５から発せられる光により、ミラーキャビネット７４の前面部（ミラー７３）を効果的に照らすことができる。もちろん、この場合の第二透過部６５には、集光作用を付与してもよいし、単なる透明板であってもよい。
【００５３】
次に、他の実施形態について図７に基づいて説明する。なお、本実施形態は第一の実施形態に用いた照明装置Ａを用いており、同じ部分においては同符号を付して説明を省略し、主に異なる部分について説明する。
【００５４】
第三の実施形態は、第一の実施形態の照明装置Ａを内装用の建築部材（以下、内装建材８という）に取り付けて照明付き内装建材８とした例である。
【００５５】
本実施形態の内装建材８は、上下に離間して配設された横框芯材８２ａの両端部に縦框芯材８２ｂを設けることで構成された平面視略ロ字形状の枠体８２と、この枠体８２の前後面に貼着された略矩形状の面材８３と、を備えて成るフラッシュ構造の内装建材８である。
【００５６】
この内装建材８の上内部には、上部の横框芯材８２ａの下面に沿って照明装置Ａを収容する収容部８４が設けられており、前側の面材８３における収容部８４の開口に対応する部位には、照明装置Ａを外部から挿通することのできる照明装置用開口部８５が設けられる。またさらに、照明装置用開口部８５の開口部には、その開口を覆う略矩形状の閉塞板８６が設けられており、この閉塞板８６には照明装置Ａの出射部３を挿通させるための左右方向に細長いスリット状の出射部用開口部８７が設けられている。
【００５７】
このような内装建材８に上記第一の実施形態の照明装置Ａを取り付けるに当たっては、照明装置用開口部８５に前方から照明装置Ａを挿通し、収容部８４に照明装置Ａを固定して設置する。そして、閉塞板８６を設置するのであるが、このとき、閉塞板８６に設けられた出射部用開口部８７に出射部３のみを挿通して、出射部３のみを外部に露出させた状態で、閉塞板８６を照明装置用開口部８５の外周縁にビスや木ねじなどで螺設させる。
【００５８】
これにより、照明装置Ａの出射部３以外の部分を内装建材８の厚み内に埋設すると共に、出射部３のみを照明用開口部から突出させて取り付けることができる。
【００５９】
このような内装建材８を、間柱間に設置するようにして配設したり、また、既設の壁面の前面に配設したりする。例えば、部屋の一側面に複数の照明付き内装建材８を並べて設置すれば、第一出射面３１から出射する光により室内側を照らしつつ、第二出射面３２から出射する光により内装建材８の前面部をぼんやりと照らすような室内空間を現出したりすることも可能となる。
【００６０】
一方、第二出射面３２から出射する光を上方に向けて照射するように、照明装置Ａを上下反転させて内装建材８に設置すれば、第二出射面３２から出射する光によって天井を照らすような照明を行なうことも可能である。
【００６１】
また、上記実施形態とは異なり、下部の横框芯材８２ａの上面に沿って（すなわち、内装建材８の下内部に）照明装置Ａを収容する収容部８４を設け、第二出射面３２を下方に向くようにして出射部３を露出させて照明装置Ａを設置した照明付き内装建材８であれば、このような内装建材８を廊下やトイレルームに配設して、足元を照らす足元灯としての使用もできる。このようにすることで、暗闇内の足元における安全を確保することができると共に、目に直接飛び込んでくる光を大幅に抑制することができるため、例えば深夜にトイレに向かう場合であっても、照明の明るさにより眠気が覚めてしまうといったことを防止することも可能となる。
【００６２】
なお、この第三の実施形態の照明装置Ａに第一の照明装置Ａを用いているが、この照明装置Ａに代えて、第二の実施形態の照明装置Ａを取り付けてもよい。
【００６３】
以上、本発明の照明付き家具及び照明付き内装建材８を説明したが、照明付き家具は洗面化粧台７ａに限られず、棚板や化粧台等といったように、照明を付けることのできる家具であればすべてにおいて適用することができる。
【００６４】
また、導光部材２は薄板状の透明な部材で構成されているが、例えば、アクリル樹脂、ガラス、ポリカーボネート樹脂、エポキシ樹脂、シリコーン樹脂等を好適に使用することができる。
【００６５】
さらに第二の実施形態において、第一出射面３１（第一導光面５）が曲面で形成された例で説明したが、この第一出射面３１（第一導光面５）は、直線状の傾斜面であっても同様の効果を得ることができるものである。
【００６６】
ここで、第一乃至第三の実施形態においては、照明装置Ａの出射部３以外の部分をミラーキャビネット７４や内装建材８内に埋め込んでミラーキャビネット７４や内装建材８の厚み内に収まるように内装し、出射部３以外の部分が外部からは見えないようにした例で説明したが、例えば、ミラーキャビネット７４や内装建材８の上端面に照明装置Ａを載設したり、あるいは、実施例の導光部材２よりも奥行き方向に長い導光部材２を設け、照明装置Ａの後端部をミラーキャビネット７４や内装建材８の背面から突出させたりするように、ミラーキャビネット７４や内装建材８の厚み内に照明装置Ａが収まらない場合であっても、少なくとも出射部３のみがミラーキャビネット７４や内装建材８の前面部から突出するように構成していればよいものとする。
【００６７】
なお、上記実施形態において出射部３は、面板を囲む４方の端部のうち任意の一つの端部としているが、特に限定されず、導光部材２の４方の端部のうち任意の複数の端部に設けたものであってもよい。また、出射部３を、この出射部３を除いた複数の端部としたものであってもよいものとする。
【符号の説明】
【００６８】
１      光源
１１    ＬＥＤ
２      導光部材
３      出射部
３１    第一出射面
３２    第二出射面
４      入射部
５      第一導光面
６      ハウジング
６１    導光部材用ハウジング
６２    光源用ハウジング
７      家具本体
７ａ    洗面化粧台
７０    給水栓
７１    洗面化粧台本体
７２    洗面ボウル
７２１  排水口部
７３    ミラー
７４    ミラーキャビネット
７５    収納凹所
７６    キャビネット本体
７７    扉体
７８    開閉扉
７９    下部キャビネット部
Ａ      照明装置
【図１】
2010253065.tif 000003
【図２】
2010253065.tif 000004
【図３】
2010253065.tif 000005
【図４】
2010253065.tif 000006
【図５】
2010253065.tif 000007
【図６】
2010253065.tif 000008
【図７】
2010253065.tif 000009